(57)【要約】      （修正有）【課題】ドラグつまみのつまみ本体を回動操作させるときの操作性を向上させるつまみの提供。【解決手段】ドラグつまみ３０は、スプール軸４の前端に螺合してスピニングリールのドラグ機構２０のドラグ力を調整する。ドラグつまみ３０は、つまみ本体３１と、螺合部材３２と、回り止め部材３３と、を備えている。つまみ本体３１は、スプール軸４の周方向に回転可能である。つまみ本体３１は、前部に設けられスプール軸４の軸方向に突出するとともに径方向に延びたつまみ部３１ｂ、及び後部が開口した収容凹部３１ｄ、を有している。螺合部材３２は、つまみ本体３１の収容凹部３１ｄに収容され、スプール軸４の前端に螺合する。回り止め部材３３は、つまみ部３１ｂの幅よりも狭い幅を有するとともに螺合部材３２からつまみ部３１ｂが延びる方向にのみ突出し、螺合部材３２をつまみ本体３１に対して回り止めする。【選択図】図２
2019129750.tif 000002
【特許請求の範囲】
【請求項１】
スプール軸の前端に螺合してスピニングリールのドラグ機構のドラグ力を調整するためのドラグつまみであって、
前記スプール軸の周方向に回転可能であり、前部に設けられ前記スプール軸の軸方向に突出するとともに径方向に延びたつまみ部、及び後部が開口した収容凹部、を有するつまみ本体と、
前記つまみ本体の前記収容凹部に収容され、前記スプール軸の前端に螺合する螺合部材と、
前記つまみ部の幅よりも狭い幅を有するとともに前記螺合部材から前記つまみ本体の前記つまみ部が延びる方向にのみ突出し、前記螺合部材を前記つまみ本体に対して回り止めする回り止め部材と、
を備えた、ドラグつまみ。
【請求項２】
前記螺合部材を径方向に貫通する軸部材をさらに備え、
前記回り止め部材は、前記軸部材によって構成されている、
請求項１に記載のドラグつまみ。
【請求項３】
前記螺合部材は外周面が円筒面である、
請求項１又は２に記載のドラグつまみ。
【請求項４】
前記つまみ本体は、前記回り止め部材が係合する係合凹部を有する、
請求項１から３のいずれか１項に記載のドラグつまみ。
【請求項５】
前記回り止め部材は、前記螺合部材と一体に設けられている、
請求項１から４のいずれか１項に記載のドラグつまみ。
【発明の詳細な説明】
【技術分野】
【０００１】
本発明は、ドラグつまみ、特に、スプール軸の前端に螺合してスピニングリールのドラグ機構のドラグ力を調整するためのドラグつまみに関する。
【背景技術】
【０００２】
一般に、スピニングリールは、スプールの回転を制動するドラグ機構を備えている。ドラグ機構のドラグ力の調整は、スプール軸の前端に螺合するドラグつまみを回転操作して調整される。ドラグつまみは、つまみ本体と、ナット部材と、を備えている。つまみ本体は、つまみ本体を回転操作するためのつまみ部と、ナット部材を収容する収容凹部と、を有している。ナット部材は、例えば六角ナットであり、つまみ本体に対して回転不能につまみ本体の収容凹部に収容されている（特許文献１参照）。
【先行技術文献】
【特許文献】
【０００３】
【特許文献１】特開２００６−１３６２１６号公報
【発明の概要】
【発明が解決しようとする課題】
【０００４】
特許文献１のドラグつまみでは、底部が六角形状に形成された収容凹部によってナット部材を回り止めしているため、収容凹部の外径が大きくなってしまう。収容凹部の外径が大きくなると、収容凹部の一部がつまみ本体のつまみ部の幅方向に突出、すなわち、つまみ部の幅から突出して、つまみ部の幅が広くなり、つまみ部がつまみにくくなる。特に、六角ナットを使用して、六角ナットの外周部で周り止めする場合、幅方向への突出が顕著となり、つまみ本体を回転操作するときの操作性が低下してしまうおそれがあった。
【０００５】
本発明の課題は、ドラグつまみの操作性を向上させることにある。
【課題を解決するための手段】
【０００６】
本発明の一側面に係るドラグつまみは、スプール軸の前端に螺合してスピニングリールのドラグ機構のドラグ力を調整するためのものであって、つまみ本体と、螺合部材と、回り止め部材と、を備えている。つまみ本体は、スプール軸の周方向に回転可能である。つまみ本体は、前部に設けられスプール軸の軸方向に突出するとともに径方向に延びたつまみ部、及び後部が開口した収容凹部、を有している。螺合部材は、つまみ本体の収容凹部に収容され、スプール軸の前端に螺合する。回り止め部材は、つまみ部の幅よりも狭い幅を有するとともに螺合部材からつまみ本体のつまみ部が延びる方向にのみ突出し、螺合部材をつまみ本体に対して回り止めする。
【０００７】
このドラグつまみでは、回り止め部材が、つまみ部の幅よりも狭い幅を有し、螺合部材からつまみ本体のつまみ部が延びる方向にのみ突出して設けられている。これにより、螺合部材の幅方向（つまみ部の幅方向と同じ方向）の寸法を小さくすることができるため、収容凹部がつまみ本体の外観に突出してつまみ部の幅が広がることを抑制できる。このため、つまみ部をつまみ易くなり、つまみ本体を回転操作するときの操作性が向上する。また、回り止め部材が螺合部材よりも径方向外側に設けられるため、螺合部材をつまみ本体に対して効果的に回り止めできる。
【０００８】
好ましくは、螺合部材を径方向に貫通する軸部材をさらに備え、回り止め部材は、軸部材によって構成されている。この場合は、螺合部材を貫通する軸部材によって回り止め部材を形成することができる。また、螺合部材と回り止め部材とを別の部材で形成できるために、螺合部材の外形寸法をさらに小さくすることができ、螺合部材を収容する収容凹部を小さくすることができる。このため、収容凹部がつまみ本体の外観に突出してつまみ部の幅が広がることをさらに抑制することができ、つまみ部をつまみ易くなる。
【０００９】
好ましくは、螺合部材は外周面が円筒面である。この場合は、螺合部材の外径寸法を小さくすることができるため、上記と同様につまみ本体を回転操作するときの操作性が向上する。
【００１０】
好ましくは、回り止め部材が係合する係合凹部を有している。この場合は、回り止め部材がつまみ部の幅よりも狭い幅を有するため、係合凹部の幅方向の寸法を小さくすることができる。これにより、係合凹部がつまみ本体の外観に突出してつまみ部の幅が広がることを抑制でき、上記と同様につまみ本体を回転操作するときの操作性が向上する。
【００１１】
好ましくは、回り止め部材は、螺合部材と一体に設けられている。この場合は、例えば、軸方向視において、つまみ部が延びる方向に長い矩形の螺合部材を用いることで、螺合部材をつまみ本体に対して効果的に回り止めできる。また、螺合部材の幅方向の寸法を小さくすることができるため、収容凹部がつまみ本体の外観に突出してしてつまみ部の幅が広がることを抑制でき、上記と同様につまみ本体を回転操作するときの操作性が向上する。
【００１２】
本発明によれば、ドラグつまみにおいて、ドラグつまみの操作性を向上させることができる。
【図面の簡単な説明】
【００１３】
【図１】本発明の一実施形態が採用されたスピニングリールの縦断面図。
【図２】図１におけるドラグつまみの拡大図。
【図３】つまみ本体の正面図。
【図４】つまみ本体の背面図。
【図５】螺合部材の斜視図。
【図６】他の実施形態に係る図４に相当する図。
【発明を実施するための形態】
【００１４】
図１は、本発明の一実施形態が採用されたスピニングリール１００の縦断面図である。スピニングリール１００は、リール本体２と、スプール３と、スプール軸４と、ロータ５と、ドラグ機構２０と、を備えている。なお、以下の説明において、釣り糸が繰り出される方向を「前」（図１において左側）、その反対方向を「後」と呼ぶ。また、スプール軸４が延びる方向を「軸方向」、スプール軸４と直交する方向を「径方向」、スプール軸４の軸回りの方向を「周方向」と呼ぶ。
【００１５】
リール本体２は、図１に示すように、内部空間を有し、例えば、ロータ５が駆動されるロータ駆動機構６や、スプール３に釣り糸を均一に巻き付けるためのオシレーティング機構７などが内部空間に収容されている。リール本体２には、ハンドル８が回転可能に装着されている。なお、ロータ駆動機構６及びオシレーティング機構７は、従来と同様の構成であるため詳細な説明を省略する。
【００１６】
スプール３は、外周に釣り糸が巻き付けられる部材である。スプール３は、スプール軸４に回転可能に支持されている。スプール３は、前部が開口した凹部３ａを有している。凹部３ａには、ドラグ機構２０の一部が収容されている。
【００１７】
スプール軸４は、スプール３の中央部を軸方向に貫通している。スプール軸４は、リール本体２に回転不能に支持されている。スプール軸４は、ハンドル８が回転操作されると、オシレーティング機構７を介して、スプール３とともにリール本体２に対して前後方向に往復移動する。スプール軸４は、前端に雄ねじ部４ａを有している。
【００１８】
ロータ５は、スプール３に釣り糸を巻き付けるための部材である。ロータ５は、ロータ駆動機構６により、ハンドル８の回転に伴ってスプール軸４を中心に回転する。
【００１９】
ドラグ機構２０は、スプール３の回転を制動する。ドラグ機構２０は、ドラグつまみ３０と、複数の摩擦部材４０と、を備えている。
【００２０】
ドラグつまみ３０は、スピニングリール１００のドラグ機構２０のドラグ力を調整するための操作部材である。ドラグつまみ３０は、スプール軸４の前端に螺合し、スプール軸４に対して軸方向に移動可能である。ドラグつまみ３０は、図２に拡大して示すように、つまみ本体３１と、螺合部材３２と、回り止め部材３３と、押圧部材３４と、付勢部材３５と、発音機構３６と、を有している。
【００２１】
つまみ本体３１は、スプール軸４の周方向に回転可能である。つまみ本体３１は、図２乃至図４に示すように、カバー部３１ａと、つまみ部３１ｂと、円筒部３１ｃと、収容凹部３１ｄと、係合凹部３１ｅと、を有している。
【００２２】
カバー部３１ａは、円形であり、外径がスプール３の凹部３ａの内径よりも大きく、凹部３ａを前方から覆うように配置されている。
【００２３】
つまみ部３１ｂは、つまみ本体３１を手でつまんで回転操作するための部分である。つまみ部３１ｂは、つまみ本体３１の前部に設けられている。詳細には、つまみ部３１ｂは、カバー部３１ａから軸方向前方に突出するとともに、径方向に延びて形成されている。つまみ部３１ｂは、カバー部３１ａの直径に沿うように、カバー部３１ａの一端から他端まで径方向に延びて形成されている。つまみ部３１ｂは、軸方向において、中心部がスプール軸４と重なる位置に設けられている。
【００２４】
円筒部３１ｃは、カバー部３１ａの後部から軸方向後方に延びて設けられている。円筒部３１ｃの外周面には、ドラグつまみ３０とスプール３の凹部３ａとの隙間をシールするシール部材３８が装着されている。
【００２５】
収容凹部３１ｄは、つまみ本体３１の内部に設けられ、後部が開口している。収容凹部３１ｄには、螺合部材３２と、付勢部材３５の一部と、が収容される。収容凹部３１ｄは、小径部３１ｆと、小径部３１ｆよりも大径の大径部３１ｇと、を有している。小径部３１ｆ及び大径部３１ｇは、軸方向に凹んだ円形の穴である。小径部３１ｆは、螺合部材３２を収容するために設けられている。詳細には、小径部３１ｆは、径方向において、つまみ部３１ｂ、カバー部３１ａ、及び円筒部３１ｃと重なる位置に形成されている。
【００２６】
係合凹部３１ｅは、図４に示すように、軸方向及びつまみ本体３１のつまみ部３１ｂが延びる方向に凹んだ溝であり、内部空間が小径部３１ｆ及び大径部３１ｇと連続するように形成されている。係合凹部３１ｅは、小径部３１ｆの内周部を径方向に横断するように、小径部３１ｆの内周部から径方向外側に向けて直線状に凹んで形成されている。
【００２７】
螺合部材３２は、収容凹部３１ｄに収容されている。詳細には、螺合部材３２は、図２及び図５に示すように、有底筒状であり、収容凹部３１ｄの小径部３１ｆに収容されている。螺合部材３２の外周面は円筒面である。螺合部材３２は、スプール軸４の雄ねじ部４ａに螺合する雌ねじ部３２ａを内周部に有している。
【００２８】
回り止め部材３３は、螺合部材３２をつまみ本体３１に対して回り止めするために設けられている。回り止め部材３３は、つまみ本体３１のつまみ部３１ｂの幅Ｈよりも狭い幅を有している（図２及び図３参照）。ここでの幅Ｈとは、つまみ部３１ｂが延びる方向と交差する方向の長さである。回り止め部材３３は、図５に示すように、本実施形態では、螺合部材３２を径方向に貫通する軸部材３７によって構成されている。軸部材３７は、両端が螺合部材３２から径方向外側に突出している。詳細には、軸部材３７は、両端が螺合部材３２の外周からつまみ本体３１のつまみ部３１ｂが延びる方向にのみ突出している。軸部材３７の両端は、つまみ本体３１の係合凹部３１ｅに収容されている。すなわち、軸部材３７の両端が係合凹部３１ｅに係合して、螺合部材３２がつまみ本体３１に対して回り止めされている。これにより、つまみ本体３１を周方向に回転させたとき、螺合部材３２がつまみ本体３１と一体的に回転し、つまみ本体３１がスプール軸４に対して軸方向に移動する。
【００２９】
押圧部材３４は、図２に示すように、スプール軸４に対して回転不能かつ軸方向に移動可能にスプール軸４に装着されている。押圧部材３４は、つまみ本体３１と、複数の摩擦部材４０と、の軸方向間に配置されている。押圧部材３４は、前部が収容凹部３１ｄの大径部３１ｇに接触し、後部が複数の摩擦部材４０に接触して配置されている。押圧部材３４は、収容凹部３１ｄの大径部３１ｇの内周部に配置された抜け止め部材３９によって、つまみ本体３１に対して抜け止めされている。
【００３０】
押圧部材３４は、フランジ部３４ａと、フランジ部３４ａから軸方向後方に延びた円筒部３４ｂと、を有している。フランジ部３４ａは、収容凹部３１ｄの大径部３１ｇに収容されている。フランジ部３４ａは、周方向に間隔を隔てて設けられた複数の音出し凹部３４ｃを前面に有している。
【００３１】
付勢部材３５は、例えばコイルバネであり、つまみ本体３１と、押圧部材３４と、を軸方向に互いに離れる方向に付勢している。付勢部材３５は、一端が螺合部材３２の螺合部材３２に接触し、他端が押圧部材３４に接触して配置されている。詳細には、付勢部材３５は、スプール軸４の軸回りに配置されるとともに、収容凹部３１ｄの小径部３１ｆの内周部及び押圧部材３４の円筒部３４ｂの内周部に圧縮した状態で配置されている。付勢部材３５は、螺合部材３２の軸方向の位置に応じて付勢力が変化する。
【００３２】
発音機構３６は、つまみ本体３１に設けられており、つまみ本体３１の回転に応じて発音する。発音機構３６は、従来と同様の構成であるため詳細な説明を省略する。
【００３３】
複数の摩擦部材４０は、スプール３の凹部３ａに収容されている。摩擦部材４０は、スプール軸４に回転不能に装着された複数の金属板で構成されている。摩擦部材４０は、付勢部材３５に付勢された押圧部材３４によって前面が押圧されている。
【００３４】
ドラグつまみ３０が回転操作されると、螺合部材３２の軸方向の移動により付勢部材３５の付勢力が変化し、摩擦部材４０を押圧する押圧部材３４の押圧力が変化する。これにより、ドラグ機構２０のドラグ力が調整される。
【００３５】
上記構成のドラグつまみ３０では、螺合部材３２と回り止め部材３３とが別の部材で構成され、さらに、つまみ部３１ｂの幅Ｈよりも狭い幅を有する回り止め部材３３が螺合部材３２の外周からつまみ部３１ｂが延びる方向にのみ突出している。これにより、例えば螺合部材３２を六角形状にした場合と比べて、回り止め部材３３及び螺合部材３２の幅方向（つまみ部３１ｂの幅方向と同じ方向）の寸法を小さくすることができる。すなわち、係合凹部３１ｅ及び収容凹部３１ｄがつまみ本体３１の外観に突出してつまみ部３１ｂの幅Ｈが広がることを抑制できる。その結果、つまみ部３１ｂがつまみ易くなり、つまみ本体３１を回転操作するときの操作性が向上する。また、回り止め部材３３が螺合部材３２よりも径方向外側に設けられるため、螺合部材３２をつまみ本体３１に対して効果的に回り止めできる。
【００３６】
＜他の実施形態＞
以上、本発明の一実施形態について説明したが、本発明は上記実施形態に限定されるものではなく、発明の要旨を逸脱しない範囲で種々の変更が可能である。
【００３７】
前記実施形態では、螺合部材３２を径方向に貫通する軸部材３７によって回り止め部材３３を構成していたが、回り止め部材３３の構成は、前記実施形態に限定されるものではない。例えば、螺合部材３２の外周から径方向外側に突出する突起を螺合部材３２に一体的に設けて、突起によって螺合部材３２を回り止めしてもよい。この場合は、螺合部材３２を回り止め部材３３が貫通しないため、スプール軸４が螺合部材３２を貫通可能な構成にすることができ、螺合部材３２の軸方向の移動範囲を大きくすることができる。
【００３８】
また、図６に示すように、螺合部材１３２は、軸方向視において、つまみ部３１ｂが延びる方向に長い矩形状であってもよい。この場合、回り止め部１３３は、螺合部材３２に一体的に設けられ、螺合部材３２の外径に沿って、螺合部材３２からつまみ部３１ｂが延びる方向にのみ突出している。この場合、つまみ本体１３１の収容凹部１３１ｄの小径部１３１ｆは、螺合部材１３２を収容するために、螺合部材１３２と同様に矩形状に形成される。
【符号の説明】
【００３９】
４  スプール軸
２０  ドラグ機構
３０  ドラグつまみ
３１，１３１  つまみ本体
３１ｂ  つまみ部
３１ｄ，１３１ｄ  収容凹部
３１ｅ  係合凹部
３２，１３２  螺合部材
３３，１３３  回り止め部材
１００  スピニングリール
【図１】
2019129750.tif 000003
【図２】
2019129750.tif 000004
【図３】
2019129750.tif 000005
【図４】
2019129750.tif 000006
【図５】
2019129750.tif 000007
【図６】
2019129750.tif 000008